(57)【要約】      （修正有）【課題】遮蔽部材出入口の隙間を取付け枠の厚みに対応させて遮蔽部材出入口の短尺方向の幅を変更する調節機能を具備し、遮蔽部材の継ぎ目が引掛からない、動物侵入防止用の隙間詰め部材を備えた建造物開口部用開閉体を提供する。【解決手段】収納筐体に形成された遮蔽部材１４の出入口の短尺方向の幅を狭める隙間詰め部材７０と、隙間詰め部材７０を短尺方向へ調整可能な調整機構３０ｆ、３０ｇ、７１ｃ、７１ｄ、７２ｃ、７２ｄ、７３ｃ、７８は、収納筐体横側面に設けられた第１ねじ通し孔３０ｆ、３０ｇと、隙間詰め部材７０に設けられ第１ねじ通し孔３０ｆ、３０ｇと締結される下孔７１ｃ、７１ｄ、７２ｃ、７２ｄ、７３ｃとを有し、下孔７１ｃ、７１ｄ、７２ｃ、７２ｄ、７３ｃが短尺方向に複数設けられている。または第１ねじ通し孔３０ｆ、３０ｇが第１ねじ通し孔３０ｉ、３０ｊの様に短尺方向に複数設けられている。【選択図】図２
2013174072.tif 000002
【特許請求の範囲】
【請求項１】
建造物の開口部で開閉される遮蔽部材と、
前記遮蔽部材を収納する収納筐体と、
前記収納筐体に収納され前記遮蔽部材を開閉する機構部と、
前記収納筐体に形成された前記遮蔽部材の出入口の短尺方向の幅を狭める隙間詰め部材と、
前記隙間詰め部材を前記短尺方向へ調整可能な調整機構と、を備え
前記調整機構は、前記収納筐体の両横側面に設けられた第１ねじ通し孔と、前記隙間詰め部材に設けられ前記第１ねじ通し孔と締結される下孔と、を有し、
前記下孔が前記短尺方向に複数設けられている、または前記第１ねじ通し孔が前記短尺方向に複数設けられている、
建造物開口部用開閉体。
【請求項２】
請求項1に記載の建造物開口部用開閉体であって、前記隙間詰め部材は、前記遮蔽部材の継ぎ目を滑り落とす斜面を有する、
建造物開口部用開閉体。
【請求項３】
請求項1または２に記載の建造物開口部用開閉体であって、
前記隙間詰め部材は、中空形状部を有する、
建造物開口部用開閉体。
【請求項４】
請求項1乃至３に記載の建造物開口部用開閉体であって、
前記中空形状部は、リブを有する、
建造物開口部用開閉体。
【請求項５】
請求項1乃至４に記載の建造物開口部用開閉体であって、
前記収納筐体は、前記隙間詰め部材と締結される第２ねじ通し孔を有し、
前記隙間詰め部材は、前記第２ねじ通し孔と重なる位置にねじをガイドするポンチ窪みを有する、
建造物開口部用開閉体。
【発明の詳細な説明】
【技術分野】
【０００１】
本発明は、建造物開口部用開閉体に関する。
【背景技術】
【０００２】
従来技術の建造物開口部用開閉体として、遮蔽部材（シャッター）収納部から遮蔽部材出入口（シャッター開口部）を介して引き出される遮蔽部材にあって、遮蔽部材出入口の隙間に細長い部材を遮蔽部材に沿って配したことを特徴とする動物侵入防止装置を備えるものがある（例えば、特許文献１参照。）。
【０００３】
また、建造物開口部用開閉体として、遮蔽部材収納部（住宅用窓シャッター）の下面部分で遮蔽部材（シャッターカーテン）と上カバー（巻き取り機カバー）との間に遮蔽部材出入口（隙間）があり、Ｌ字状に折曲げた鋼鈑を、巻取り機カバー下面に取付け、遮蔽部材出入口を最小限に塞ぐ遮蔽部材収納部の小鳥や小動物の侵入防止金具を備えるものがある（例えば、特許文献２参照。）。
【先行技術文献】
【特許文献】
【０００４】
【特許文献１】特開２００２−３３９６６９号公報
【特許文献２】実用新案登録第３１７１３１５号公報
【発明の概要】
【発明が解決しようとする課題】
【０００５】
しかしながら特許文献１の建造物開口部用開閉体では、開口部の両脇に遮蔽部材の開閉をガイドするガイドレールを固定する為の取付け枠の厚みが多岐にわたることに対し、遮蔽部材出入口の隙間を取付け枠の厚みに対応させて変更する調節機能が無いと云う、問題がある。
【０００６】
また、特許文献２の建造物開口部用開閉体では、Ｌ字状に折曲げた鋼鈑を巻取り機カバー下面に取付けている為、遮蔽部材閉時にＬ字状の角部へ遮蔽部材と遮蔽部材の継ぎ目が引掛かり、遮蔽部材が完全に閉まらないおそれがある。
【０００７】
本発明は上記問題点に鑑みて成されたものであり、遮蔽部材出入口の隙間を取付け枠の厚みに対応させて遮蔽部材出入口の短尺方向の幅を変更する調節機能を具備し、遮蔽部材の継ぎ目が引掛からない、動物侵入防止用の隙間詰め部材を備えた建造物開口部用開閉体を提供することを目的とする。
【課題を解決するための手段】
【０００８】
本発明の第１の課題解決手段は、建造物の開口部で開閉される遮蔽部材と、前記遮蔽部材を収納する収納筐体と、前記収納筐体に収納され前記遮蔽部材を開閉する機構部と、前記収納筐体に形成された前記遮蔽部材の出入口の短尺方向の幅を狭める隙間詰め部材と、前記隙間詰め部材を前記短尺方向へ調整可能な調整機構と、を備え前記調整機構は、前記収納筐体の両横側面に設けられた第１ねじ通し孔と、前記隙間詰め部材に設けられ前記第１ねじ通し孔と締結される下孔と、を有し、前記下孔が前記短尺方向に複数設けられている、または前記第１ねじ通し孔が前記短尺方向に複数設けられている、構成である。
【０００９】
また、本発明の第２の課題解決手段は、前記隙間詰め部材は、前記遮蔽部材の継ぎ目を滑り落とす斜面を有する、構成である。
【００１０】
また、本発明の第３の課題解決手段は、前記隙間詰め部材は、中空形状部を有する、構成である。
【００１１】
また、本発明の第４の課題解決手段は、前記中空形状部は、リブを有する、構成である。
【００１２】
また、本発明の第５の課題解決手段は、前記収納筐体は、前記隙間詰め部材と締結される第２ねじ通し孔を有し、前記隙間詰め部材は、前記第２ねじ通し孔と重なる位置にねじをガイドするポンチ窪みを有する、構成である。
【発明の効果】
【００１３】
本発明の建造物開口部用開閉体は、動物侵入防止用の隙間詰め部材へ取付け枠の厚みに対応させて位置を変更する調節機能を具備することで、開口部へ取付け枠の厚み毎で異なる遮蔽部材出入口の短尺方向の幅を取付け枠の厚み毎に対応させて変更する調節機能を持つことが可能になる。
【００１４】
また、本発明の建造物開口部用開閉体は、遮蔽部材の継ぎ目と下端の端面とを滑り落とす斜面を有することで、遮蔽部材と遮蔽部材の継ぎ目と下端とが隙間詰め部材に引掛らず、遮蔽部材を完全に開くことが可能になる。
【００１５】
また、本発明の建造物開口部用開閉体は、隙間詰め部材が中空形状部を有することで、中空形状部に電気コードを通すことが可能になる。これにより、電気コードが遮蔽部材の開閉時に遮蔽部材や機構部に噛み込まれることを防止出来る。
【００１６】
また、本発明の建造物開口部用開閉体は、中空形状部はリブを有することで、遮蔽部材の開閉時に電気コードが中空形状部内で異音が発生することを防止出来る。更に、リブの両端を電気コードが変形しない程度に工具でかしめることで、電気コードの断線や被覆破損を抑えつつ電気コードの長さ方向の位置決めを行ない易くなる。加えて、電気コードが中空形状部内で異音が発生することを更に防止出来る。
【００１７】
また、本発明の建造物開口部用開閉体は、ブラケットは隙間詰め部材と締結する締結部材をガイドするポンチ窪みを有することで、作業者が施工現場でブラケットの下から仰ぎ見る姿勢でも締結部材の位置決めを行ない易く締結部材の孔開け開始時の横滑りを防止して作業性を向上することが出来る。
【図面の簡単な説明】
【００１８】
【図１】シャッターの説明図
【図２】隙間詰め部材の取付け図
【図３】隙間詰め部材位置のスライド調整の説明図
【図４】隙間詰め部材への遮蔽部材の引掛かり防止の説明図
【図５】隙間詰め部材への電気コード固定の説明図
【図６】上カバー固定時尖り先付きタッピンねじの位置決めと滑り止めの説明図
【発明を実施するための形態】
【００１９】
以下に本発明の実施の形態を図面に基づいて詳細に説明する。
【００２０】
図１は、本発明のシャッター１１（建造物開口部用開閉体）の説明図である。本発明のシャッター１１は、建造物１のサッシ窓２（開口部）の上部左右で建造物１にねじ締結される２個のブラケット２０を備えている。ブラケット２０には、２個の横カバー３０（横側面）と、その間にねじ締結されるアングル５０（図２参照）と、同じくその間にねじ締結される梁６０（図２参照）と、同じくその間にねじ締結される隙間詰め部材７０（図２参照）と、アングル５０に着脱可能に係合される上カバー４０と、から成る収納筐体１２が着脱可能に引掛けられている。収納筐体１２には、機構部１３と、機構部１３によって上下に移動するスラット１４（遮蔽部材）と、が内蔵されている。機構部１３には、機構部１３の動作を制御する制御部１６が内蔵されている。２つの横カバー３０の外側には、外観意匠面となるサイドキャップ３８がそれぞれねじ締結されている。２つの横カバー３０の下方には、スラット１４を上下にガイドする２本のガイドレール１５が取付け枠３を介して建造物１に締結されている。スラット１４が全閉の時にはスラット１４がサッシ窓２の全面を覆い、スラット１４が全開の時にはスラット１４がサッシ窓２の全面を剥き出しにする様に、２本のガイドレール１５の間にはスラット１４が挿入されている。スラット１４の先端は、スラット１４が全開の時でもガイドレール１５の間から外れない様に、２本のガイドレール１５の間に挿入されている。
【００２１】
図２は、シャッター１１のサイドキャップ３８を外した状態の斜視説明図である。
【００２２】
左の横カバー３０の略中央部の機構部孔３１の内側に折込まれた第１固定リブ３０ａと第２固定リブ３０ｃとには、それぞれ第１ねじ貫通孔３０ｂと第２ねじ貫通孔３０ｄとが形成されている。機構部１３は、留めリブ１３ａによって機構部孔３１に位置決めされている。位置決めにより、第１ねじ貫通孔３０ｂには機構部１３の第３ねじ貫通孔１３ｂが、第２ねじ貫通孔３０ｄには機構部１３の第４ねじ貫通孔１３ｃが、それぞれ重ね合わせられ、固定ねじ１３ｄが挿入されている。この状態で、固定ねじ１３ｄのねじ端部にはナット１３ｅが回転螺合され、固定ねじ１３ｄとナット１３ｅによって横カバー３０と機構部１３とが締結されている。
【００２３】
それぞれの横カバー３０には、隙間詰め部材７０が２本のタッピンねじ７８によってねじ締結されている。隙間詰め部材７０には、断面が山型の斜面部７１、７２、７３の３本が形成されている。隙間詰め部材７０の図中最前部の山型の斜面部７１の左側端面には、斜面部７１の頂点部７１ａに第１下孔７１ｃが形成されている。同様に、斜面部７１の底部７１ｂには、第２雌ねじ穴７１ｄが形成されている。同様に、隙間詰め部材７０の図中中央の断面が山型の斜面部７２の頂点部７２ａと底部７２ｂには、それぞれ第３下孔７２ｃと第４下孔７２ｄが形成されている。同様に、隙間詰め部材７０の図中最後部の断面が山型の斜面部７３の頂点部７３ａには、第５下孔７３ｃが形成されている。第１下孔７１ｃと第２下孔７１ｄの位置関係（位置、角度、ピッチ）は、第３下孔７２ｃと第４下孔７２ｄの位置関係と同じである。横カバー３０には、第１ねじ通し孔３０ｆと３０ｇを有する固定リブ３０ｅと、タッピンねじ７８とドライバーを通して作業する為の作業孔３０ｈが形成されている。第１ねじ通し孔３０ｆと第２ねじ通し孔３０ｇとは、第５下孔７３ｃと第４下孔７２ｄとの位置関係と同じ位置関係になる様に、形成されている。左の横カバー３０は、２本のタッピンねじ７８を第１ねじ通し孔３０ｆと第１ねじ通し孔３０ｇとに挿通し、第５下孔７３ｃと第４下孔７２ｄとにねじ締結されている。隙間詰め部材７０は、スラット１４が引っ掛かり難くなる様にスラット１４と向き合う角部に断面が丸みを帯びた形状を有している。隙間詰め部材７０は、左右を入れ替えても同じ効果が出る様に、スラット１４と向き合わない角部にもに断面が丸みを帯びた形状を有している。
【００２４】
隙間詰め部材７０は、アルミまたは樹脂等の押出し成形品であり、最前部の断面が山型の斜面部７１と頂点部７１ａと底部７１ｂとは、隙間詰め部材７０の左端面から右端面までそれぞれ同じ断面形状で形成されている。同様に、右の横カバー３０にも、機構部１３と隙間詰め部材７０とが締結されている。
【００２５】
図３は、隙間詰め部材７０位置のスライド調整の説明図である。取付け枠３とスラット１４の間には、スラット１４を建造物１のサッシ窓２の上面で開閉させる際にスラット１４が収納筐体１２から出入りする為の出入口２１が形成されている。出入口２１の短尺方向（図中左右方向）のスラット外側の開口幅２１ａは、隙間詰め部材７０の位置調整によって、取付け枠３の厚みが変更されても小鳥や小動物の侵入を防止出来る程度で且つ風雨と云った外力によってスラット１４が隙間詰め部材７０に当たって大きな異音を発生させない程度の約１５ｍｍ以下の幅に調整されている。
【００２６】
図４は、隙間詰め部材７０へのスラット１４の引掛かり防止の説明図である。隙間詰め部材７０は、スラット１４の閉時（下降時）に継ぎ目１４ｃが隙間詰め部材７０へ乗り上げても引っかからない様に、最後部断面が山型の斜面部７３ｆを有している。
【００２７】
図５は、隙間詰め部材７０への電気コード１７固定の説明図である。隙間詰め部材７０は、電気コード１７が隙間詰め部材７０内に形成された中空形状部７４で機構部１３（図１参照）の振動によって隙間詰め部材７０の内壁に衝突して異音を発生させない様に、電気コード１７をガイドするガイドリブ７５を最前部の断面が山型の斜面部７１の内側に有している。ガイドリブ７５は、隙間詰め部材７０の左側端面で電気コード１７を断線や被覆破損させない程度に且つ電気コード１７を最前部の断面が山型の斜面部７１の最前面の斜面７１ｆの内面との間で固定できる程度に、最前面の斜面７１ｆの方向（図中時計方向）へプライヤー８０を用いて折り曲げられている。
【００２８】
図６は、上カバー４０固定時の尖り先付きタッピンねじ７９の位置決めと滑り止めの説明図である。隙間詰め部材７０は、呼び４の尖り先付きタッピンねじ７９によって上カバー４０とねじ締結される。隙間詰め部材７０は、尖り先付きタッピンねじ７９の位置決めを行ない易く尖り先付きタッピンねじ７９の孔開け開始時の横滑りを防止して作業性を向上させる為の、ポンチ窪み７６を有している。上カバー４０は、尖り先付きタッピンねじ７９を通す直径４．２ｍｍ程度の第２ねじ通し孔４１を形成している。ポンチ窪み７６は、上カバー４０を隙間詰め部材７０へ固定する際に、第２ねじ通し孔４１の略中心に来る様に形成されている。
【００２９】
以下に、本発明のケース１の動作について、説明する。
【００３０】
図３において、実線で表した隙間詰め部材７０は、遮蔽部材出入口２１の短尺方向の開口幅２１ａを小鳥や小動物の侵入を防止可能な１５ｍｍ以下の幅に調整している。この際、第５下孔７３ｃは第１ねじ通し孔３０ｆとタッピンねじ７８によってねじ締結され、第４下孔７２ｄは第１ねじ通し孔３０ｇとタッピンねじ７８によってねじ締結されている。取付け枠３の厚みが薄くなって開口幅２１ａが１５ｍｍ以上になった場合には、隙間詰め部材７０を破線の様に移動し、開口幅２１ａを１５ｍｍ以下の幅に調整する。この際、第３下孔７２ｃが第１ねじ通し孔３０ｆとタッピンねじ７８によってねじ締結され、第２下孔７１ｄが第１ねじ通し孔３０ｇとタッピンねじ７８によってねじ締結される。
【００３１】
なお、隙間詰め部材７０は、第５下孔７３ｃまたは第３下孔７２ｃと第１ねじ通し孔３０ｆをタッピンねじ７８によってねじ締結するか、第４下孔７２ｄまたは第２下孔７１ｄと第１ねじ通し孔３０ｆをタッピンねじ７８によってねじ締結することも可能である。横カバー３０ｅには、第１ねじ通し孔３０ｆおよび第２ねじ通し孔３０ｇを平行移動した位置に第４ねじ通し孔３０ｉおよび第５ねじ通し孔３０ｊを追加し、第４ねじ通し孔３０ｉおよび第５ねじ通し孔３０ｊを第５下孔７３ｃおよび第４下孔７２ｄとタッピンねじ７８によってねじ締結して隙間詰め部材７０を位置調整することも可能である。
【００３２】
図４において、最後部断面が山型の斜面部７３ｆは、スラット１４の閉時（下降時）に継ぎ目１４ｃが隙間詰め部材７０へ乗り上げた場合に、継ぎ目１４ｃを斜面部７３ｆに沿ってガイドしつつスラット１４の自重による落下力または機構部１３のスラット１４を送り出す力あるいはその両方の力で図中下方向へ落とす。
【００３３】
図５において、電気コード１７は、斜面部７１の最前面の斜面７１ｆの内面とガイドリブ７５との間に挿入される。次いで、ガイドリブ７５は、作業者によってプライヤー８０を用いて最前面の斜面７１ｆの方向へ折り曲げられる。これにより、電気コード１７は、最前面の斜面７１ｆの内面と折り曲げられたガイドリブ７５とで挟まれる。従って、電気コード１７は、機構部１３（図１参照）によって振動が発生しても、隙間詰め部材７０内に形成された中空形状部７４の中で隙間詰め部材７０の内壁に衝突することは無くなる。
【００３４】
図６において、尖り先付きタッピンねじ７９は、上カバー４０の第２ねじ通し孔４１に挿通され、隙間詰め部材７０のポンチ窪み７６に当接される。次いで、尖り先付きタッピンねじ７９は、作業者によってプラスドライバーを用いてポンチ窪み７６に雌ねじを形成しつつポンチ窪み７６にねじ込まれ、上カバー４０を隙間詰め部材７０にねじ締結する。
【００３５】
以下に、本発明のシャッター１１の効果について、説明する。
【００３６】
本発明のシャッター１１は、横カバー３０に遮蔽部材の出入口の短尺方向へ移動可能な隙間詰め部材７０を具備することで、防犯シャッターと非防犯シャッターとで異なる遮蔽部材出入口２１の短尺方向の開口幅２１ａを取付け枠３の幅に対応させて変更する調節機能を持つことが可能になる。これにより、取付け枠３の幅が変更されても短尺方向の開口幅２１ａを小鳥や小動物が侵入し難い１５ｍｍ以下の幅に維持することが出来る。更に、開口幅２１ａは、小鳥や小動物が多い地域での使用者の要望などによって、更に狭くすることが出来る。加えて、隙間詰め部材７０は、スラット１４を滑り落とす最後端の斜面７３ｆを有することで、スラット１４の継ぎ目１４ｃが引掛らず、スラット１４を完全に閉めることが可能になる。隙間詰め部材７０は、スラット１４が引っ掛かり難くなる様にスラット１４と向き合う角部に丸みを帯びた形状を有していることから、スラット１４の継ぎ目１４ｃやスラット１４の下端１４ａが引掛らず、スラット１４を完全に開くことが可能になる。
【００３７】
また、本発明のシャッター１１は、隙間詰め部材７０は中空形状部７４を有することで、中空形状部７４に電気コード１７を通すことが可能になる。これにより、電気コード１７がスラット１４の開閉時にスラット１４や機構部１３に噛み込まれることを防止出来る。
【００３８】
また、本発明のシャッター１１は、中空形状部７４はリブ７５を有することで、スラット１４の開閉時に電気コード１７が中空形状部７４内で叩き付けられて異音が発生することを防止出来る。更に、リブ７５の両端を電気コード１７が変形しない程度にプライヤ８０でかしめることで、電気コード１７の断線や被覆破損を抑えつつ電気コード１７の長さ方向の位置決めが行ない易くなる。加えて、電気コード１７が中空形状部７４内で叩き付けられて異音が発生することを更に防止出来る。
【００３９】
また、本発明のシャッター１１は、ブラケット２０は隙間詰め部材７０と締結する尖り先付きタッピンねじ７９をガイドするポンチ窪み７６を有することで、作業者が施工現場でブラケット２０の下から仰ぎ見る姿勢でも尖り先付きタッピンねじ７９の位置決めを行ない易く、尖り先付きタッピンねじ７９の孔開け開始時の横滑りを防止して作業性を向上することが出来る。
【符号の説明】
【００４０】
１  建造物
２  開口部
１１  シャッター（建造物開口部用開閉体）
１３  機構部
１４  スラット（遮蔽部材）
２０  ブラケット
２１  出入口
２１ａ  短尺方向の開口幅
３０  横カバー（収納筐体）
３０ｅ  第３固定リブ
３０ｆ  第１ねじ通し孔（調整機構）
３０ｇ  第１ねじ通し孔（調整機構）
４０  上カバー（収納筐体）
４１  第２ねじ通し孔
５０  アングル（収納筐体）
６０  梁（収納筐体）
７０  隙間詰め部材
７１  最前部の断面が山型の斜面部
７１ａ  頂点部
７１ｂ  底部
７１ｃ  第１下孔（調整機構）
７１ｄ  第２下孔（調整機構）
７１ｅ  貫通溝
７１ｆ  最前面の斜面
７２  中央の断面が山型の斜面部
７２ａ  頂点部
７２ｂ  底部
７２ｃ  第３下孔（調整機構）
７２ｄ  第４下孔（調整機構）
７２ｅ  貫通溝
７３  最後部断面が山型の斜面部
７３ａ  頂点部
７３ｃ  第５下孔（調整機構）
７３ｅ  貫通溝
７３ｆ  最後端の斜面（斜面）
７４  中空形状部
７５  ガイドリブ（リブ）
７６  ポンチ窪み
７８  タッピンねじ（調整機構）
７９  尖り先付きタッピンねじ
【図１】
2013174072.tif 000003
【図２】
2013174072.tif 000004
【図３】
2013174072.tif 000005
【図４】
2013174072.tif 000006
【図５】
2013174072.tif 000007
【図６】
2013174072.tif 000008